(57)【要約】【課題】左官経験のない一般需要者でも簡単且つ綺麗にタイルを貼ることができるタイル貼着シートの製造方法を提供する。【解決手段】少なくとも裏面に貼着層を有するベースシート２と、そのベースシート２の表面に所定の目地空間５を設けて配列され且つそのベースシート２の表面に貼着層を介して貼着される複数のタイル片３と、ベースシート２の表面の目地空間５に設けられた樹脂製目地と、を備えてなるタイル貼着シートの製造方法であって、ベースシート２の平面形状に整合する平面形状を有する凹部８を備えた型枠９を使用するものであり、型枠９の凹部８内に目地空間５を設けた配列にタイル片３をセットし、その凹部８内の目地空間５に後に樹脂製目地となる流動状の合成樹脂を充填し、さらに型枠９の凹部８にセットしたまま合成樹脂の固化処理を行って樹脂製目地を形成するようにした。【選択図】        図４
2016102301.tif 000002
【特許請求の範囲】
【請求項１】
少なくとも裏面に貼着層を有するベースシートと、
そのベースシートの表面に所定の目地空間を設けて配列され且つそのベースシートの表面に貼着層を介して貼着される複数のタイル片と、
前記ベースシートの表面の前記目地空間に設けられた樹脂製目地と、を備えてなるタイル貼着シートの製造方法であって、
前記ベースシートの平面形状に整合する平面形状を有する凹部を備えた型枠を使用するものであり、
前記型枠の凹部内に前記目地空間を設けた配列にタイル片をセットし、その凹部内の目地空間に後に前記樹脂製目地となる流動状の合成樹脂を充填し、
さらに型枠の凹部にセットしたまま前記合成樹脂の固化処理を行って前記樹脂製目地を形成するようにしたことを特徴とするタイル貼着シートの製造方法。
【請求項２】
前記ベースシートに対する前記タイル片の貼着を前記型枠の凹部へのセット前に行うようにしたことを特徴とする請求項１記載のタイル貼着シートの製造方法。
【請求項３】
前記ベースシートに対する前記タイル片の貼着を前記合成樹脂の固化処理後に行うようにしたことを特徴とする請求項１記載のタイル貼着シートの製造方法。
【発明の詳細な説明】
【技術分野】
【０００１】
本発明は、室内の壁面や家具の外表面等の被着面にタイルを貼着して装飾するためのタイル貼着シートの製造方法に関する。
【背景技術】
【０００２】
従来より、基材シートの表裏両面に粘着面を設けて両面粘着シートを形成し、その両面粘着シートの表面に複数のタイル片を接合すると共に裏面の粘着面を被着面に接合するようにしたタイル貼着シートがある（特許文献１参照）。
このタイル貼着シートは、タイル片の表面に透明シートが貼着されており、まず全部を被着面に貼り付けてから前記透明シートを剥がし、その後、タイル片の目地部に目地材を導入する、というものである。
【先行技術文献】
【特許文献】
【０００３】
【特許文献１】実登第３０７１３４７号公報（段落００１９、図５）
【発明の概要】
【発明が解決しようとする課題】
【０００４】
上記従来のタイル貼着シートは、被着面に貼り付けた後のタイル片の目地部に目地材を導入するようになっているが、従来の左官工事によるものと遜色のない仕上がりにするにはそれ相応の技量が必要である。したがって、左官工事の経験のない一般需要者が綺麗な目地に仕上げることはきわめて困難であり、もちろん時間も掛かる。
【０００５】
本発明は、上記に鑑みなされたもので、その目的は、左官経験のない一般需要者でも簡単且つ綺麗にタイルを貼ることができるタイル貼着シートの製造方法を提供することにある。
【課題を解決するための手段】
【０００６】
上記の目的を達成するため本発明は、請求項１に記載したように、
少なくとも裏面に貼着層を有するベースシートと、
そのベースシートの表面に所定の目地空間を設けて配列され且つそのベースシートの表面に貼着層を介して貼着される複数のタイル片と、
前記ベースシートの表面の前記目地空間に設けられた樹脂製目地と、を備えてなるタイル貼着シートの製造方法であって、
前記ベースシートの平面形状に整合する平面形状を有する凹部を備えた型枠を使用するものであり、
前記型枠の凹部内に前記目地空間を設けた配列にタイル片をセットし、その凹部内の目地空間に後に前記樹脂製目地となる流動状の合成樹脂を流し込んで充填し、
さらに型枠の凹部にセットしたまま前記合成樹脂の固化処理を行って前記樹脂製目地を形成するようにしたタイル貼着シートの製造方法を提供する。
【０００７】
また、請求項２に記載したように、前記ベースシートに対する前記タイル片の貼着を前記型枠の凹部へのセット前に行うようにした請求項１記載のタイル貼着シートの製造方法を提供する。
【０００８】
また、請求項３に記載したように、前記ベースシートに対する前記タイル片の貼着を前記合成樹脂の固化処理後に行うようにした請求項１記載のタイル貼着シートの製造方法を提供する。
【発明の効果】
【０００９】
本発明の製造方法により製造されるタイル貼着シートは、型枠から脱型した状態で目地空間に樹脂製目地が形成されているため、左官経験のない一般需要者でも簡単且つ綺麗にタイルを貼ることができる。しかも樹脂製目地は、流動状の合成樹脂を目地空間に行き渡らせて固化させるものであるため、タイル片に大小のばらつきがあっても樹脂製目地との間に隙間が生じにくい。
【００１０】
また、請求項２に記載したように、ベースシートに対する前記タイル片の貼着を前記型枠の凹部へのセット前に行うようにした場合は、タイル片がベースシートに貼り付いていて凹部内で動かないため、流動状の合成樹脂を流し込んでも、或は合成樹脂を隅々まで行き渡らせるために型枠を振動させる等してもタイル片が位置ずれしない。
【００１１】
また、請求項３に記載したように、前記ベースシートに対するタイル片の貼着を合成樹脂の固化処理後に行うようにすれば、ベースシートの貼着層への影響を考慮することなく合成樹脂の効率的な固化を優先させた処理が選択できる。例えば、ベースシートの貼着層の材質が熱で変質するおそれがある場合でも、合成樹脂を効率良く短時間で固化させることを優先させて高温での固化処理を選択することができる。
【図面の簡単な説明】
【００１２】
【図１】タイル貼りシートの斜視図である。
【図２】中間を省略したタイル貼りシートの断面図である。
【図３】他の形態を示すタイル貼りシートの斜視図である。
【図４】（ａ）〜（ｃ）は第１の製造方法の各工程を示す斜視図である。
【図５】第１の製造方法を示すもので、（ａ）は型枠の凹部にベースシート付きのタイル片をセットした状態を示す断面図、（ｂ）は図５（ａ）の目地空間に合成樹脂を充填した状態を示す断面図である。
【図６】第２の製造方法を示すもので、型枠の凹部にタイル片をセットする状態を示す斜視図である。
【図７】第２の製造方法を示すもので、（ａ）は型枠の凹部にタイル片をセットした状態を示す断面図、（ｂ）は図７（ａ）の目地空間に合成樹脂を充填した状態を示す斜視図である。
【発明を実施するための形態】
【００１３】
以下に、本発明の実施の形態を図面を参照しつつ説明する。
実施形態のタイル貼着シート１は、図１〜図３に示したように、ベースシート２と、複数のタイル片３，３…と、樹脂製目地４と、から概略構成されている。
【００１４】
［ベースシート］
前記ベースシート２は、例えば約１５０ｍｍ×１５０ｍｍの四角い紙又は合成樹脂製の薄いシートであり、裏面と表面に粘着剤又は接着剤を塗布してなる貼着層（図示せず）を有する。
【００１５】
［タイル片］
前記タイル片３は、陶磁器、ガラス、合成樹脂、金属、竹、木、石などで形成されている。また、タイル片３は、表面が装飾面で、裏面がほぼ平らな接合面になっており、前記べースシート２の表面に所定の目地空間５を設けて配列され且つそのベースシート２の表面に前記貼着層を介して貼着されている。
実施形態のタイル片３は、表面に釉薬を施して焼成した陶磁製で、約２２ｍｍ×２２ｍｍ×６ｍｍの四角い板状であり、前記ベースシート２の表面に２ｍｍ〜３ｍｍの目地空間５を設けて６個×６個配列されている。
なお、タイル片３，３…の目地空間５は、被着面６の縁に用いる特殊なもの（これについては後述する。）を除いて、図１、図２に示したようにベースシート２の角を挟んで隣合う二辺（図１において左辺と下辺）にはない。これにより、複数のタイル貼着シート１，１…を横や上下に並べて連続させた場合に、タイル貼着シート１，１…同士の継ぎ目の目地空間５が二本分に連なる（太くなる）、或はタイル片３，３同士の中間に不体裁な継ぎ目ができる、等の不具合を回避することができる。
【００１６】
［樹脂製目地］
前記樹脂製目地４は、ベースシート２に配列される前記タイル片３，３…の前記目地空間５を埋めてタイル片３の周囲に密着するような状態に形成されている。樹脂製目地４は、例えば白色系の加熱硬化型シリコーン樹脂であって、流動状の合成樹脂を約８０℃以上に加熱して固化させたものであり、適度な弾性と耐水性を有する。この樹脂製目地４は、厚みがタイル片３の厚みより小さく、実施形態ではほぼ半分（約３.５ｍｍ）である。
【００１７】
［貼着方法１］
実施形態のタイル貼着シート１は、ベースシート２の裏面の貼着層が剥離可能な剥離紙（図示せず）で保護されており、これを例えば建物室内の壁面等の被着面６に貼着するには、ベースシート２の裏面の剥離紙を剥がして必要な枚数を縦横に並べて貼り付けるだけでよい。
【００１８】
ところで、実施形態のタイル貼着シート１は、主として被着面６の縁以外の部分に使用するものであって、前記のように左辺と下辺に目地空間５が設けられていない。そのため、例えばこれを被着面６の左の縁や下の縁に配置した場合には目地相当の空間がない分、アンバランスに見える。したがって、好ましくは被着面６の左の縁に対応するタイル貼着シート１には、左辺にも樹脂製目地４を付加し、また、被着面６の下の縁に対応するタイル貼着シート１には、下辺に樹脂製目地４を付加し、さらに被着面６の左下隅角部に対応するタイル貼着シート１には、左辺と下辺に樹脂製目地４を付加するとよい。
【００１９】
一方、実施形態の例では、被着面６の左上隅角部を基点にしてタイル貼着シート１を貼り始め、そこから被着面６の右の縁や下の縁に到達したとき、被着面６の縁とタイル貼着シート１の端が揃わない場合がある。
もしその差がタイル片３の整数倍であれば、一般的なカッターで樹脂製目地４とベースシート２を切断して余分なタイル片３の分だけタイル貼着シート１を短くすればよい。
【００２０】
また、もし前記の差が一個のタイル片３に満たない場合には、図３に示したタイル貼着シート１を使用することで不体裁な余白を残さず綺麗に対応することができる。
すなわち、図３に示したタイル貼着シート１は、直角を挟んで隣合う右辺と下辺に樹脂製目地４に相当する長さ調整用の延設片７，７を設けたものであり、これを被着面６の右下隅角部に対応するタイル貼着シート１に適用して被着面６の縁からはみ出す延設片７を適宜切り落とせば、被着面６の縁とタイル貼着シート１の端の間に不体裁な余白が生じない。
【００２１】
なお、この延設片７は、被着面６の右下隅角部以外の右縁に対応するタイル貼着シート１では右の一辺にのみ設ければよく、また、同じく被着面６の下縁に対応するタイル貼着シート１では下の一辺にのみ設ければよい。
また、実施形態では、被着面６の左上隅角部を基点にタイル貼着シート１を貼り始める場合について説明したが、右上隅角部を基点にタイル貼着シート１を貼り始める場合については、延設片７をタイル貼着シート１の左辺に設ければよい。
さらにまた、延設片７をタイル貼着シート１の左右両辺に設けて不要な側の延設片７を完全に切り落とし、反対側の延設片７で長さを調整するようにすれば、一種のタイル貼着シート１で被着面６の左上隅角部を基点に貼り始める場合と、右上隅角部を基点に貼り始める場合の何れにも対応することが可能である。
【００２２】
［第１の製造方法］
次に、上記のタイル貼着シート１の第１の製造方法について図４、図５により説明する。
先ず、実施形態の製造方法では、成形用の凹部８を備えた型枠９を使用する。この型枠９の凹部８は、ベースシート２の平面形状に整合する平面形状を有しており、さらに本実施形態では、少なくともベースシート２の厚みと樹脂製目地４の厚みの合計値より大きい深さを有する。
【００２３】
次に、表裏両面に貼着層を有するベースシート２に対し、図４（ａ）から図４（ｂ）のように、多数のタイル片３，３…を目地空間５を設けた配列に並べて表面の貼着層に貼着する。
次に、図４（ｂ）から図４（ｃ）及び図５（ａ）のように、ベースシート２に貼着した状態のタイル片３，３…を型枠９の凹部８にセットする。
次に、図５（ｂ）のように、型枠９の凹部８内の目地空間５に樹脂製目地４を構成する流動状の合成樹脂４０（例えば、加熱硬化型シリコーン樹脂）を流し込み、その合成樹脂４０の量が樹脂製目地４の高さに相当する厚みになるまで充填する。このとき粘度の高い合成樹脂４０の流動性を促進させるべく、型枠９に微細な振動を加えてもよい。なお、凹部８内のタイル片３は、ベースシート２に貼り付いていて動かないため、合成樹脂４０を流し込んでも、或は型枠９を振動させても配列が崩れない。
次に、タイル片３と合成樹脂４０とベースシート２を凹部８内にセットしたまま、合成樹脂４０を固化させるために所定の条件で固化処理を行う。例えば、合成樹脂４０が加熱硬化型シリコーン樹脂である場合は、約８０℃以上で所定時間加熱する、という具合である。もし合成樹脂４０が常温で固化する場合には、常温での放置も固化処理に含まれる。もちろん合成樹脂４０の固化処理は、ベースシート２の貼着層の貼着機能が損なわれない条件（例えば、貼着層の耐熱温度以下）を選択して行う必要がある。
そして、最後に型枠９の凹部８からタイル片３をベースシート２ごと脱型すれば、目地空間５に樹脂製目地４が充填されたタイル貼着シート１が出来上がる。
【００２４】
［第２の製造方法］
第１の製造方法では、ベースシート２にタイル片３を先付けして型枠９で樹脂製目地４を形成するようにしたが、第２の製造方法ではタイル片３の目地空間５に樹脂製目地４を形成してからベースシート２に貼着層を介してタイル片３を後付けするようにしたものである。
【００２５】
すなわち、先ず図６、図７（ａ）に示したように、型枠９の凹部８内に目地空間５を設けた配列にタイル片３をセットする。その際、タイル片３，３…の表面に紙などの表貼りシート１０を剥離可能な例えば水溶性の接着剤等で貼着してタイル片３，３…同士の配列を固定し、また、型枠９の凹部８の隣合う二辺に目地空間相当の出幅で且つ流し込んだ合成樹脂４０の流れを妨げない上方を通ってタイル片３の側面に当接し得る突片１１，１１を形成し、その突片１１，１１にタイル片３の側面が当たることによって全体が凹部８の突片１１，１１の無い二辺のコーナー側に寄せられるようになっている。
なお、このようにタイル片３，３…を凹部８内で位置決めする手段として、上記のように表貼りシート１０と突片１１，１１を組み合わせる以外に、凹部８に蓋（図示せず）を被せるようにすると共にその蓋にタイル片３の上部に冠状に嵌まる孔又は帽子状に被さる凹みの保持部を形成し、その保持部でタイル片３を位置決めする手段や、タイル片３の表面に貼る前記表貼りシート１０をベースシート２と同形で且つ曲がりにくい例えば厚紙で形成し、そうしてその表貼りシート１０に、第１の製造方法におけるベースシート２と同じく、凹部８内における位置決め的役割を担わせるようにしてもよい。
【００２６】
次に、型枠９の凹部８内の目地空間５に後に樹脂製目地４となる流動状の合成樹脂４０を流し込み、その合成樹脂４０の量が樹脂製目地４の高さに相当する厚みになるまで充填する。このとき粘度の高い合成樹脂の流動性を促進させるべく、型枠９に微細な振動を加えてもよい。なお、凹部８内のタイル片３は、前記表貼りシート１０と突片１１に拘束されていて動かないため、合成樹脂４０を流し込んでも、或は型枠９を振動させても配列が乱れない。
次に、タイル片３と合成樹脂４０を凹部８内にセットしたまま、第１の製造方法と同じく合成樹脂４０を固化させるための所定の固化処理を行う。このとき凹部８内には、合成樹脂４０の固化処理によって影響を受け得る要素がないため、合成樹脂４０にとって最も効率的な固化処理を設定することができる。
その後、型枠９の凹部８からタイル片３と樹脂製目地４の結合体を取り出し、そのタイル片３の裏面にベースシート２を貼着層を介して貼着すれば、タイル貼着シート１が出来上がる。もっともこの状態ではタイル片３の表面に表貼りシート１０が貼り付いているため、その表貼りシート１０に水を吹き付けるなどして剥がす。
【００２７】
以上本発明を実施の形態について説明したが、もちろん本発明は上記実施形態に限定されるものではない。例えば実施形態では、ベースシート２の表面に貼着層を設けてタイル片３を貼着するようにしたが、タイル片３の裏面に貼着層を設けるようにしてもよい。
また、実施形態ではタイル片３を正方形の板状に形成したが、長方形はもちろん、円形や三角形等の多角形、さらには自由な曲線の形状にしてもよい。そうした場合でも流動状の合成樹脂がタイル片３の側周面に密着するため樹脂製目地４との間に隙間が生じない。
また、前記延設片７を有するタイル貼着シート１も第１の製造方法や第２の製造方法で製造し得る。
また、実施形態では、合成樹脂としてシリコーン樹脂を例示したが、エポキシ樹脂やゴム類でもよい。
【符号の説明】
【００２８】
１  …タイル貼着シート
２  …ベースシート
３  …タイル片
４  …樹脂製目地
４０  …後に樹脂製目地となる合成樹脂
５  …目地空間
８  …凹部
９  …型枠
【図１】
2016102301.tif 000003
【図２】
2016102301.tif 000004
【図３】
2016102301.tif 000005
【図４】
2016102301.tif 000006
【図５】
2016102301.tif 000007
【図６】
2016102301.tif 000008
【図７】
2016102301.tif 000009